(57)【要約】【課題】基本的なドラム形状の変更等を伴うことなく、容易且つ正確にケーブル残量を知ることができるケーブルドラムを提供する。【解決手段】柱状の芯部５と、該芯部５の両端部に固定された板状の側板６とからなるケーブルドラムにおいて、少なくとも一方の前記側板６の内面６ａに、前記芯部５からケーブルの最外周部までの距離を計るためのスケール表示１０が設けられている。また、前記側板６の外面には、前記スケール表示１０から読み取った値からケーブル残量を導き出すための換算表が設けられている。【選択図】図２
2009113880.tif 000002
【特許請求の範囲】
【請求項１】
柱状の芯部と、該芯部の両端部に固定された板状の側板とからなるケーブルドラムにおいて、
少なくとも一方の前記側板の内面に、前記芯部からケーブルの最外周部までの距離を計るためのスケール表示が設けられていることを特徴とするケーブルドラム。
【請求項２】
前記スケール表示は、前記側板の内面の前記芯部の外周部と接する箇所から前記側板の外周部まで放射方向に延びる直線と、該直線の前記芯部からの距離を示す数字とからなり、少なくとも円周角９０°毎４方向に設けられていることを特徴とする請求項１記載のケーブルドラム。
【請求項３】
前記側板の外面には、前記スケール表示から読み取った値からケーブル残量を導き出すための換算表が設けられていることを特徴とする請求項１又は２記載のケーブルドラム。
【請求項４】
前記換算表は、前記スケール表示から読み取った値と、前記ケーブルの直径と、前記芯部の直径と、前記ケーブルの１段分の巻き数とから、前記ケーブルの残量を視認することができるものであることを特徴とする請求項３記載のケーブルドラム。
【請求項５】
前記換算表は、前記芯部の直径及び前記ケーブルの直径毎に作成されたものであることを特徴とする請求項４記載のケーブルドラム。
【発明の詳細な説明】
【技術分野】
【０００１】
本発明は、通信線や電力線等のケーブルを巻き取るためのケーブルドラムに関し、特にケーブルドラムに巻き取られたケーブルの残量を知るための手段に関するものである。
【背景技術】
【０００２】
通信線等のケーブルは、一般に円柱形状の芯部と該芯部の両端部に固定された円板形状の側板とからなるケーブルドラムに巻き付けられて保管、運搬等されるが、このケーブルドラムに巻き付けられたケーブルの残量を知るために、従来から様々な工夫がなされている。ケーブル残量の管理は、一般的にはケーブルに表示されたレングス表示を確認することによってなされるが、このようなレングス表示のない場合は、使用の都度、使用したケーブル長を記録し、これを購入時の長さから差し引いていくことによって管理している。そのため、使用回数が増える程、実際のケーブル長との誤差が大きくなったり、使用量の履歴が不明になった場合等には残量を算出できなくなる等の不具合があった。
【０００３】
上記のような観点から開発された従来のケーブルドラムとして、巻取芯部とその両端に側板を備えたケーブルドラムにおいて、少なくとも一方の側板の内面に、その半径方向に沿った一対の突条を形成し、この突条の間にスケール差込み部を形成し、このスケール差込み部に、ケーブル径に対応して刻設されたケーブル段数目盛を付したスケールが差込み可能とされたものが開示されている（特許文献１参照）。これにより、ケーブル差込み部にスケールを差し込むことによって、ケーブルの最外周部までの段数を知ることができ、この段数から残りのケーブルの長さを算出することができるとされている。
【特許文献１】実開平５−７７１６９号公報
【発明の開示】
【発明が解決しようとする課題】
【０００４】
しかしながら、上記特許文献１に開示されるケーブルドラムにおいては、従来のドラム構造の変更に伴う製造コストの増加、側板内面に突起物（突条）を設けることによるケーブル巻取量の減少、専用スケールの作製に伴うコスト増加等の問題がある。
【０００５】
そこで、本発明は、基本的なドラム形状の変更等を伴うことなく、容易且つ正確にケーブル残量を知ることができるケーブルドラムを提供することを目的とする。
【課題を解決するための手段】
【０００６】
上記課題の解決を図る本発明は、柱状の芯部と、該芯部の両端部に固定された板状の側板とからなるケーブルドラムにおいて、少なくとも一方の前記側板の内面に、前記芯部からケーブルの最外周部までの距離を計るためのスケール表示が設けられていることを特徴とするものである（請求項１）。
【０００７】
これにより、ケーブルの芯部からの最外周部までの距離を、特別な道具を用いることなく、一目で知ることができる。そして、この最外周部までの距離が分かれば、ケーブルの直径、芯部の直径、ケーブルの１段分の巻き数に基づいて、ドラムに巻かれたケーブルの残量を理論上計算することができる。
【０００８】
また、上記請求項１記載の構成において、前記スケール表示は、前記側板の内面の前記芯部の外周部と接する箇所から前記側板の外周部まで放射方向に延びる直線と、該直線の前記芯部からの距離を示す数字とからなり、少なくとも円周角９０°毎４方向に設けられていることが好ましい（請求項２）。
【０００９】
このようにスケール表示を構成し、側板の内面に４方向に設けることにより、使用者はドラムが転がってもスケールの目盛りを読み取ることができる。
【００１０】
また、上記請求項１又は２記載の構成において、前記側板の外面には、前記スケール表示から読み取った値からケーブル残量を導き出すための換算表が設けられていることが好ましい（請求項３）。
【００１１】
これにより、使用者は特別な道具を用いることなく、その場でケーブル残量を知ることができる。
【００１２】
また、上記請求項３記載の構成において、前記換算表は、前記スケール表示から読み取った値と、前記ケーブルの直径と、前記芯部の直径と、前記ケーブルの１段分の巻き数とから、前記ケーブルの残量を視認することができるものであることが好ましい（請求項４）。
【００１３】
ケーブル残量は、上記スケール表示から読み取れる値、即ちケーブルの最外周部の芯部からの距離と、ケーブルの直径と、芯部の直径と、ケーブルの１段分の巻き数とから、理論上の算出が可能であることから、上記構成とすることにより、使用者はこの換算表を見るだけでケーブル残量を知ることができる。
【００１４】
また、上記請求項４記載の構成において、前記換算表は、前記芯部の直径及び前記ケーブルの直径毎に作成されていることが好ましい（請求項５）。
【００１５】
これにより、ケーブルドラムの作製者はケーブルドラム毎に適した換算表を設けることができ、又使用者は使用するケーブルに応じて見るべき換算表をその場で選択して使用することができる。
【発明の効果】
【００１６】
以上のように、本発明によれば、側板の内面にスケール表示が設けられていることにより、ケーブルの芯部からの最外周部までの距離を特別な道具を用いることなく、一目で知ることができる。そして、この最外周部までの距離が分かれば、ケーブルの直径、芯部の直径、ケーブルの１段分の巻き数に基づいて、ドラムに巻かれたケーブルの残量を理論上計算することができる。また、側板の外面に換算表が設けられていることにより、特別な道具を用いることなく、その場でケーブル残量を知ることができる。
【発明を実施するための最良の形態】
【００１７】
以下、添付した図面を参照して本発明の実施例を説明する。図１において、ケーブルドラム１にケーブル２が巻かれた状態が示されている。ケーブルドラム１は、円柱形状の芯部５と、該芯部５の両端部に固定された２枚の円板形状の側板６とを有して構成される。ケーブル２は、芯部５の一端部から他端部まで隙間なく巻かれた状態を１段として、複数段重ねられて巻き付けられる。
【００１８】
図２において、本発明に係るケーブルドラム１の側板６の内面６ａが示されている。この内面６ａには、スケール表示１０が設けられている。このスケール表示１０は、少なくとも一方の側板６の内面６ａにインク等によって印刷されたものであり、本実施例においては、芯部５の外周部１５から側板６の外周部１６に向かって放射状に、且つ円周角９０°毎に４つ設けられている。これらの各スケール表示１０は、芯部５からの距離を表す目盛り線２０と数値２１とからなっている。
【００１９】
図３において、側板６の外面６ｂが示されており、この外面６ｂには、換算表３０が設けられている。この換算表３０は、少なくとも一方の側板６の外面６ｂに、インク等による印刷、シール状部材やプレート状部材の貼り付け等によって設けられている。換算表３０は、内面６ａのスケール表示１０から読み取った数値等の情報に基づいて、ケーブル２の残量を導き出すためのものであり、後に詳細な例を示す。
【００２０】
図４において、芯部５にケーブル２が所定量巻かれた状態での側板６の内面６ａの見え方が示されている。この例では、スケール表示１０によって、ケーブル２が芯部５から２５ｃｍ弱の位置まで巻かれていることがわかる。
【００２１】
図５において、側板６の外面６ｂに設けられる換算表３０の例が示されている。換算表３０の主要なパラメータは、芯部５の直径であるドラム内側直径Ａ（図６参照）、スケール表示１０によって読み取れる目盛り値Ｂ、ケーブル２の直径であるケーブルサイズＣ、ケーブル２を芯部５に隙間なく巻き付けた時の１段分の巻き回数である１段巻き数Ｎ（図１参照）である。
【００２２】
例えば、ドラム内側直径Ａが７５ｃｍ、１段巻き数Ｎが４０である場合、芯部５上での１段目のケーブル長さは、３．１４×７５（Ａ）×４０（Ｎ）＝９４．２ｍであり、ケーブル２の総巻き段数からケーブル２の総距離を換算表で読み取る。ケーブル２の総巻き段数は、前記スケール表示１０から読み取れる目盛り値Ｂと、ケーブル２の直径であるケーブルサイズＣとから推定できる。
【００２３】
以上の算出法に基づいて、図５に示すような換算表３０が作成される。換算表３０は、ドラム内側直径Ａ、即ちケーブルドラム１の芯部５の直径と、いくつか（本実施例では３つ）のケーブルサイズＣのバリエーション毎に作成され、本例では同一のドラム内側直径Ａ（７５ｃｍ）で３種のケーブルサイズＣ（１．２ｃｍ，１．６５ｃｍ，１．８ｃｍ）毎に作成された３つの表３１，３２，３３を一まとめとした換算表３０となっている。
【００２４】
この換算表３０の使用時には、先ず巻き重なったケーブル２の芯部５からの距離を前記スケール表示１０を用いて読み取りこれを目盛り値Ｂとすると共に、ケーブル２を芯部５に隙間なく巻き付けた時の１段分の巻き回数を数えてこれを１段巻き数Ｎとする。次いで、表３１，３２，３３のうちから使用しているケーブル２の直径に適合する表を用い、これに上記目盛り値Ｂ及び１段巻き数Ｎを当てはめることによって、ケーブル残量が判明する。例えば、ケーブルサイズＣが１．２ｃｍ、目盛り値Ｂが２４ｃｍ、１段巻き数Ｎが４０の場合、表３１から、ケーブル残量は１７２９．５ｍであることが判明する。尚、目盛り値Ｂの左側に記載されている表示３５は、目盛り値Ｂから推定されるケーブル２の巻き段数である。
【００２５】
また、図７に示すのは、他の換算表の例であり、図７（ａ）に示す換算表４０は、ドラム内側直径Ａが８０ｃｍの場合であり、図７（ｂ）に示す換算表５０は、ドラム内側直径Ａが８５ｃｍの場合である。このように、ドラム内側直径Ａ毎に換算表が作成され、そのそれぞれが適合するケーブルドラムに付けられる。
【００２６】
以上のように、本発明によれば、側板６の内面６ａにスケール表示１０を設けると共に、外面６ｂに換算表３０（４０，５０）を設けたことによって、巻き重ねられたケーブル２の芯部５からの距離（目盛り値Ｂ）と、ケーブルサイズＣと、ケーブル２の１段巻き数Ｎとが分かれば、換算表３０（４０，５０）から容易にケーブル残量を知ることができる。
【図面の簡単な説明】
【００２７】
【図１】ケーブルドラムにケーブルが巻き付けられた状態を示す図である。
【図２】側板の内面の構造を示す図である。
【図３】側板の外面の構造を示す図である
【図４】スケール表示の見え方の例を示す図である。
【図５】換算表の第１の例を示す図である。
【図６】換算表に使用されるパラメータを説明するための図である。
【図７】（ａ）は換算表の第２の例を示す図であり、（ｂ）は換算表の第３の例を示す図である。
【符号の説明】
【００２８】
１  ケーブルドラム
２  ケーブル
５  芯部
６  側板
６ａ  内面
６ｂ  外面
１０  スケール表示
３０  換算表
【図１】
2009113880.tif 000003
【図２】
2009113880.tif 000004
【図３】
2009113880.tif 000005
【図４】
2009113880.tif 000006
【図５】
2009113880.tif 000007
【図６】
2009113880.tif 000008
【図７】
2009113880.tif 000009